(57)【要約】【課題】複数の画像データを階層的に定義付け又は順序立ててタッチパネル方式の表示部に表示する際の操作性を向上することができる表示パネルを提供する。【解決手段】タッチパネル方式の表示部４と、表示部４で表示する画像に対応した複数の画像データを階層的に定義付け又は順序立てて格納したＲＡＭやＨＤＤ等の記憶部６，７と、常時は記憶部６，７に記憶した画像データに基づく画像を階層的に定義付け又は順序立てて表示部４に表示させると共に表示部４に階層的又は順序立てて画像を表示している際に、表示部４の一方向にスライド操作された場合にはその画像を記憶部６，７に格納し且つ表示部４の他方向にスライド操作された場合には記憶部６，７に格納された画像を表示部４に表示する制御回路９と、を備えている。【選択図】      図１
2010123016.tif 000002
【特許請求の範囲】
【請求項１】
タッチパネル方式の表示部と、該表示部で表示する画像に対応した複数の画像データを階層的に定義付け又は順序立てて格納した記憶部と、常時は前記記憶部に記憶した画像データに基づく画像を階層的に定義付け又は順序立てて前記表示部に表示させると共に前記表示部に階層的又は順序立てて画像を表示している際に、前記表示部の一方向にスライド操作された場合にはその画像を前記記憶部に格納し且つ前記表示部の他方向にスライド操作された場合には前記記憶部に格納された画像を前記表示部に表示する制御回路と、を備えていることを特徴とする表示パネル。
【請求項２】
前記制御回路は、前記表示部に設定された四方向のうち、所定の一方向にスライド操作された場合にはその画像を前記記憶部に格納することを特徴とする請求項１に記載の表示パネル。
【請求項３】
前記制御回路は、前記表示部に設定された四方向のうち、所定の一方向にスライド操作された場合には前記記憶部に格納した画像を消去することを特徴とする請求項１又は請求項２に記載の表示パネル。
【請求項４】
前記制御回路は、前記表示部に設定された四方向のうち、所定の一方向にスライド操作された場合には前記表示部に表示されている画像よりも前に既に表示し且つ前記記憶部に格納した画像を表示することを特徴とする請求項１乃至請求項３の何れかに記載の表示パネル。
【請求項５】
前記制御回路は、前記表示部に設定された四方向のうち、所定の一方向にスライド操作された場合には前記表示部に表示されている画像よりも後に既に表示し且つ前記記憶部に格納した画像を表示することを特徴とする請求項１乃至請求項４の何れかに記載の表示パネル。
【発明の詳細な説明】
【技術分野】
【０００１】
本発明は、予め階層的に定義付け又は順序立てて記憶部に格納された複数の画像データに基づく画像表示をタッチパネル方式の表示部に表示するようにした表示パネルに関する。
【背景技術】
【０００２】
従来、例えば、複写機・プリンタ・ファクシミリ、或いはこれらを機能的に備えた複合機といった画像形成装置には、設定変更や機能選択といった操作を行えるようにタッチパネル方式とされた液晶の表示パネルを搭載したものが周知である。
【０００３】
一方、このような画像形成装置にあって、近年の多機能化等に伴い、表示パネルに表示された各種設定入力キーの選択操作によって機能の設定・変更を行うと共に、階層的に定義付けられた画面を切り替え表示して更なる機能の設定・変更を行うものが知られている（例えば、特許文献１参照）。
【０００４】
他方、近年の携帯式電話機等においても、多機能化が進み、例えば、多くの写真データを格納すると共に、その写真データを選択して電子メールの添付ファイルとして送信するといった使用がなされている。
【０００５】
この際、多くの写真データは、例えば、１画面中に多数の写真画像をサムネイル方式で表示したのでは、どのような写真であるかの確認が困難であるため、１画面１写真で日付順やファイル名順にタッチパネル操作で順次切り換え表示させ、所望の写真を選択することができる。
【特許文献１】特開２０００−２０６８３３号公報
【発明の開示】
【発明が解決しようとする課題】
【０００６】
ところが、上記の如く構成された画像形成装置にあっては、階層的に遷移した表示のうち、例えば、設定内容の確認のために２つ前や３つ前の画像に戻りたい場合、その戻り順に関しても１画面毎に逆戻りしなければならないという面倒な操作を強いられていた。
【０００７】
同様に、上述した携帯式電話機等においては、複数の添付ファイル候補としての写真がある場合、その候補の写真のみを交互に１画面上に表示して確認（比較）したいといった操作はできないのが実情であった。
【０００８】
そこで、本発明は、上記事情を考慮し、複数の画像データを階層的に定義付け又は順序立ててタッチパネル方式の表示部に表示する際、その切換表示順序を優先指定操作の有無によって変更することができ、操作性を向上することができる表示パネルを提供することを目的とする。
【課題を解決するための手段】
【０００９】
本発明の表示パネルは、タッチパネル方式の表示部と、該表示部で表示する画像に対応した複数の画像データを階層的に定義付け又は順序立てて格納した記憶部と、常時は前記記憶部に記憶した画像データに基づく画像を階層的に定義付け又は順序立てて前記表示部に表示させると共に前記表示部に階層的又は順序立てて画像を表示している際に、前記表示部の一方向にスライド操作された場合にはその画像を前記記憶部に格納し且つ前記表示部の他方向にスライド操作された場合には前記記憶部に格納された画像を前記表示部に表示する制御回路と、を備えていることを特徴とする。
【００１０】
この際、前記制御回路は、前記表示部に設定された四方向のうち、所定の一方向にスライド操作された場合にはその画像を前記記憶部に格納することができる。
【００１１】
また、前記制御回路は、前記表示部に設定された四方向のうち、所定の一方向にスライド操作された場合には前記記憶部に格納した画像を消去することができる。
【００１２】
さらに、前記制御回路は、前記表示部に設定された四方向のうち、所定の一方向にスライド操作された場合には前記表示部に表示されている画像よりも前に既に表示し且つ前記記憶部に格納した画像を表示することができる。
【００１３】
しかも、前記制御回路は、前記表示部に設定された四方向のうち、所定の一方向にスライド操作された場合には前記表示部に表示されている画像よりも後に既に表示し且つ前記記憶部に格納した画像を表示することができる。
【００１４】
尚、上述した四方向のうちの所定の一方向とは、それぞれ重複しない方向である。
【発明の効果】
【００１５】
本発明の表示パネルは、複数の画像データを階層的に定義付け又は順序立ててタッチパネル方式の表示部に表示する際の操作性を向上することができる。
【発明を実施するための最良の形態】
【００１６】
次に、本発明の一実施形態に係る表示パネルについて、画像形成装置に搭載された表示パネルに適用し、図面を参照して説明する。
【００１７】
図１は本発明の一実施形態に係る表示パネルを搭載した画像形成装置のブロック説明図、図２は本発明の一実施形態に係る表示パネルにおけるタッチパネル操作例の説明図、図３は本発明の一実施形態に係る表示パネルに搭載された制御回路による制御例のフロー図、図４は本発明の一実施形態に係る表示パネルに搭載された制御回路による具体的な制御例の説明図、図５は本発明の一実施形態に係る表示パネルにおける他のタッチパネル操作例の説明図である。
【００１８】
図１に示すように、本発明の一実施形態に係る画像形成装置１は、複写機能やファクシミリ機能等の際に使用される原稿読み取り用のスキャナ部２と、スタートスイッチ・テンキー・モード選択スイッチ等の多数のボタンスイッチを備えた操作部３と、液晶モニタ等のタッチパネル方式の表示部４と、操作部３並びに表示部４で設定可能なプログラムを含めた画像形成装置１の全般の制御プログラムを格納したＲＯＭ５と、操作部３や表示部４で設定変更された画像形成処理条件等を一時的に格納するＲＡＭ６と、スキャナ部２で読み取った原稿の画像データや図示を略すパーソナルコンピュータ回線或いはファクシミリ回線等から送信された画像データを格納する大容量のハードディスクドライブ（ＨＤＤ）７と、ＨＤＤ７に格納された画像データに基づいて画像形成処理を実行する印字部８と、ＲＯＭ５に格納された制御プログラムに基づいてこれらを制御する制御回路９と、を備えている。
【００１９】
また、表示部４は、公知の画像形成装置１としての機能（設定画面等）を表示すると共に、図２に示すように、タッチパネル方式により表示されたボタンスイッチ４ａ等を押下した際に、そのボタンスイッチ４ａの機能を制御回路９に実行させ、その表面を指等で滑らせることにより、例えば、図示左に指等で滑らせることにより表示状態にある画像をＲＡＭ６又はＨＤＤ７に一時的に格納させ、図示右に指等で滑らせることにより表示状態にある画像よりも前に既に表示し且つＲＡＭ６又はＨＤＤ７に一時的に格納した画像を表示させるといった、スライドタッチスイッチ機能を具備している。
【００２０】
尚、この表示部４のスライドタッチスイッチ機能は、図３に示すように、例えば、図示上に指等で滑らせることにより表示状態にある画像をＲＡＭ６又はＨＤＤ７に一時的に格納させ、図示下に指等で滑らせることにより表示状態にあってＲＡＭ６又はＨＤＤ７に一時的に格納した画像を消去させ、図示左に指等で滑らせることにより表示状態にある画像よりも前に既に表示し且つＲＡＭ６又はＨＤＤ７に一時的に格納した画像を表示させ、図示右に指等で滑らせることにより表示状態にある画像よりも後に表示し且つＲＡＭ６又はＨＤＤ７に一時的に格納した画像を表示させる（格納していない画像の場合は「次へ」のボタンスイッチ４ａの操作）、といったように、特に限定されるものではない。
【００２１】
この際、図示下に指等で滑らせることによりＲＡＭ６又はＨＤＤ７に一時的に格納した画像の消去は、優先指定操作した画像が表示状態にある場合には表示状態にある画像を消去するが、優先指定操作していない画像が表示状態にある場合には、その表示状態にある画像よりも手前にあって既に優先指定操作している画像を消去するようにしても良い。
【００２２】
ところで、上記図２及び図３に示した表示部４の表示では、本発明の表示切換制御によるボタン機能として、次画面に移行（遷移）するための機能ボタンスイッチとしてボタンスイッチ４ａのみを図示しているが、図に示したような「次へ」の表示に限定されるものではなく、例えば、「実行」でも良いし、機能やモードを選択するための文字表示ボタン等でも良い。
【００２３】
次に、図４を参照しつつ、制御回路９による表示切換制御例を説明する。
【００２４】
（ステップＳ１）
ステップＳ１では、制御回路９は、例えば、メイン画面等の表示から、階層的に定義付けられた複数の画像データを表示部４のパネルスイッチ機能の選択設定により遷移表示するモード等が指定されると、ステップＳ２へと移行する。
【００２５】
尚、このメイン画面等の表示から、階層的に定義付けられていないモード（例えば、単なる拡大／縮小率の選択画面や濃度選択画面等）が選択された場合には、通常の表示切替を実行する。また、例えば、タブ形式での表示切換も同様である。
【００２６】
（ステップＳ２）
ステップＳ２では、制御回路９は、指定されたモード等の最初の設定画面を表示してステップＳ３へと移行する。
【００２７】
（ステップＳ３）
ステップＳ３では、制御回路９は、表示部４のタッチスイッチ機能を利用して、設定操作が選択された場合にはステップＳ４へと移行し、「次へ」のボタンスイッチ４ａが選択された（押下された）場合にはステップＳ５へと移行し、スライドタッチスイッチ機能により左にスライド操作された場合にはステップＳ６へと移行する。
【００２８】
即ち、制御回路９は、「次へ」のボタンスイッチ４ａが選択された場合には、予め階層的に定義付け又は順序立てられた表示順序に対する優先指定操作がなされなかった画像として判定する。また、制御回路９は、スライドタッチスイッチ機能により左にスライド操作された場合には、予め階層的に定義付け又は順序立てられた表示順序に対する優先指定操作がなされた画像として判定する。
【００２９】
これにより、制御回路９は、スライドタッチスイッチ機能により左にスライド操作された場合には、予め階層的に定義付け又は順序立てられた表示順序を変更する。
【００３０】
（ステップＳ４）
ステップＳ４では、制御回路９は、表示部４のタッチスイッチ機能を利用して設定操作された機能を実行すると共に、ステップＳ３へとループして次の設定操作を待機する。
【００３１】
尚、設定操作された機能の種類によっては、設定操作が完了したとして、表示部４の表示をメイン画面等に遷移する。
【００３２】
（ステップＳ５）
ステップＳ５では、制御回路９は、階層的に定義付けられた次画面を表示部４に表示してステップＳ７へと移行する。
【００３３】
（ステップＳ６）
ステップＳ６では、制御回路９は、選択された設定画面をＲＡＭ６又はＨＤＤ７に格納してステップＳ５へと移行する。
【００３４】
（ステップＳ７）
ステップＳ７では、制御回路９は、表示部４のスライドタッチスイッチ機能により右スライド操作された場合にはステップＳ８へと移行し、「次へ」のボタンスイッチ４ａが選択された（押下された）場合にはステップＳ９へと移行し、スライドタッチスイッチ機能により左にスライド操作された場合にはステップＳ１０へと移行する。
【００３５】
即ち、制御回路９は、「次へ」のボタンスイッチ４ａが選択された場合には、予め階層的に定義付け又は順序立てられた表示順序に対する優先指定操作がなされなかった画像として判定する。また、制御回路９は、スライドタッチスイッチ機能により左にスライド操作された場合には、予め階層的に定義付け又は順序立てられた表示順序に対する優先指定操作がなされた画像として判定する。
【００３６】
これにより、制御回路９は、スライドタッチスイッチ機能により左にスライド操作された場合には、予め階層的に定義付け又は順序立てられた表示順序を、既に変更された順序がある場合には、その順序を新たに変更する。
【００３７】
（ステップＳ８）
ステップＳ８では、制御回路９は、表示部４のスライドタッチスイッチ機能により右スライド操作により、既に表示されてＲＡＭ６又はＨＤＤ７に格納指定された直前の表示画面を表示部４に表示してステップＳ３へとループする。
【００３８】
（ステップＳ９）
ステップＳ９では、制御回路９は、階層的に定義付けられた次画面を表示部４に表示してステップＳ３へとループする。
【００３９】
（ステップＳ１０）
ステップＳ１０では、制御回路９は、選択された設定画面をＲＡＭ６又はＨＤＤ７に格納してステップＳ５へとループする。
【００４０】
そして、以降、制御回路９は、階層が下方に遷移する度に、ユーザの操作に応じて上記の何れかのルーチンを実行する。
【００４１】
具体的には、図５に示すように、メイン画面等から遷移した設定画面Ａが表示されている状態で、「次へ」のボタンスイッチ４ａが選択されると、表示部４には設定画面Ａの次階層である設定画面Ｂが表示される。
【００４２】
この状態から、スライドタッチスイッチ機能により左にスライド操作されると、この設定画面ＢがＲＡＭ６又はＨＤＤ７に格納されると共に、表示部４には設定画面Ｂの次階層である設定画面Ｃが表示される。
【００４３】
そして、この設定画面Ｃで「次へ」のボタンスイッチ４ａが選択されると、設定画面ＢはＲＡＭ６又はＨＤＤ７に格納されたまま、表示部４には設定画面Ｃの次階層である設定画面Ｄが表示される。
【００４４】
この状態から、スライドタッチスイッチ機能により左にスライド操作されると、この設定画面Ｄが設定画面Ｂに加えてＲＡＭ６又はＨＤＤ７に格納されると共に、表示部４には設定画面Ｄの次階層である設定画面Ｅが表示される。
【００４５】
さらに、この設定画面Ｅが表示されている際に、スライドタッチスイッチ機能により右にスライド操作されると、設定画面Ｅよりも前に既に表示されてＲＡＭ６又はＨＤＤ７に格納された直前の設定画面、即ち、ここでは、設定画面Ｄが表示部４に表示される。
【００４６】
尚、この状態（表示画面Ｄの表示）から、スライドタッチスイッチ機能により右にスライド操作されると、設定画面Ｄよりも前に既に表示されてＲＡＭ６又はＨＤＤ７に格納された直前の設定画面、即ち、ここでは、設定画面Ｂを表示部４に表示することができる。
【００４７】
このように、本発明の表示パネルにあっては、ユーザの意思で必要な画面の画像データを優先してＲＡＭ６又はＨＤＤ７に格納し、他の画面を省いた切換表示を行うことができ、例えば、設定に迷った場合や、一度ある設定で動作させてみて、違う設定に変更したくなった場合に、ためし設定の画面をすばやく表示部４に表示させて変更操作を行うことができる。
【００４８】
また、本発明の表示パネルは、既存の表示部４、ＲＯＭ５、ＲＡＭ６又はＨＤＤ７、制御回路９、といったハードウエアをそのまま利用していることから、専用の部品を必要とせず、製品コストの高騰を抑制することができる。
【００４９】
ところで、上記実施の形態では、本発明の表示パネルを画像形成装置１に適用して説明したが、タッチパネル方式の表示部（液晶パネル等）を備えた表示パネル全般に適用することができることは勿論である。
【００５０】
また、上記実施の形態（図３）においては、表示部４の上下左右（表示状態基準）の四方向とし、その上下左右の各一方向を重複しない所定方向、即ち、スライド操作方向としたが、その上下左右の四方向における所定の一方向毎に割り当てられる機能は、重複した方向でなければ、限定されるものではない。
【図面の簡単な説明】
【００５１】
【図１】本発明の一実施形態に係る表示パネルを搭載した画像形成装置のブロック説明図である。
【図２】本発明の一実施形態に係る表示パネルにおけるタッチパネル操作例の説明図である。
【図３】本発明の一実施形態に係る表示パネルに搭載された制御回路による制御例のフロー図である。
【図４】本発明の一実施形態に係る表示パネルに搭載された制御回路による具体的な制御例の説明図である。
【図５】本発明の一実施形態に係る表示パネルにおける他のタッチパネル操作例の説明図である。
【符号の説明】
【００５２】
４…表示部
６…ＲＡＭ（記憶部）
７…ＨＤＤ（記憶部）
９…制御回路
【図１】
2010123016.tif 000003
【図２】
2010123016.tif 000004
【図３】
2010123016.tif 000005
【図４】
2010123016.tif 000006
【図５】
2010123016.tif 000007